(57)【要約】【課題】所定の経路を移動しながら撮影された一連の画像を容易かつ的確にスライドショー表示する。【解決手段】被写体光の撮像を行う撮像素子１６と、現在位置の測位を行うＧＰＳ６と、前記ＧＰＳにより測位した現在位置をログデータとして記録する記録部１８と、前記撮像素子からの撮像信号に基づく画像データに、前記撮像素子による撮像に基づいて前記ＧＰＳから取得した位置情報を関連付けて記憶する画像記憶部１７と、前記記録部に記録されているログデータに基づいて、前記画像記憶部から画像データを抽出する抽出部４と、前記抽出部により抽出した画像データに基づく画像を順次スライドショー表示する表示部１２とを備える。【選択図】図１
2014116647.tif 000002
【特許請求の範囲】
【請求項１】
被写体光の撮像を行う撮像素子と、
現在位置の測位を行うＧＰＳと、
前記ＧＰＳにより測位した現在位置をログデータとして記録する記録部と、
前記撮像素子からの撮像信号に基づく画像データに、前記撮像素子による撮像に基づいて前記ＧＰＳから取得した位置情報を関連付けて記憶する画像記憶部と、
前記記録部に記録されているログデータに基づいて、前記画像記憶部から画像データを抽出する抽出部と、
前記抽出部により抽出した画像データに基づく画像を順次スライドショー表示する表示部と
を備えることを特徴とする撮像装置。
【請求項２】
前記画像記憶部に複数のログデータが記憶されている場合に、複数のログデータの中から少なくとも１つのログデータを選択する選択部を備え、
前記抽出部は、前記選択部により選択したログデータに基づいて、前記画像記憶部から画像データを抽出することを特徴とする請求項１記載の撮像装置。
【請求項３】
前記撮像素子による撮像時の撮影方位を取得する方位取得部と、
前記方位取得部により取得された撮像時の撮影方位を画像データに付加する記憶制御部と、
前記画像データに関連付けられた位置情報を用いて、該デジタルカメラの撮像時の移動方向を決定する移動方向決定部と、
前記移動方向決定部により決定した撮像時の移動方向、及び前記画像データに付加されている撮像時の撮影方位を用いて、前記画像データに基づく画像の撮像時の移動方向を基準とした撮影方向を特定する特定部と、
前記特定部により特定した撮影方向に基づいて、前記画像データに基づく画像を前記表示部にスライドショー表示させる際の表示効果を制御する表示制御部と
を備えることを特徴とする請求項１または２記載の撮像装置。
【請求項４】
前記表示制御部は、前記特定部により特定した撮影方向が前方向である場合には、順次ズーム倍率を上げながら画像を表示させ、前記特定部により特定した撮影方向が後方向である場合には、順次ズーム倍率を下げながら画像を表示させることを特徴とする請求項３記載の撮像装置。
【請求項５】
前記表示制御部は、前記特定部により特定した撮影方向が左方向である場合には、前記表示部の左側から画像をスライドインさせて表示させ、前記特定部により特定した撮影方向が右方向である場合には、前記表示部の右側から画像をスライドインさせて表示させることを特徴とする請求項３または４記載の撮像装置。
【請求項６】
画像データに関連付けられた位置情報を用いて、前記表示部にスライドショー表示させる画像の撮像地点間の距離を検出する検出部を備え、
前記表示制御部は、前記検出部により検出した前記撮像地点間の距離に基づいて、前記表示部にスライドショー表示させる画像の表示時間を変化させることを特徴とする請求項３〜５の何れか一項に記載の撮像装置。
【請求項７】
前記表示制御部は、前記撮像地点間の距離が所定の距離よりも大きい場合には前記表示部にスライドショー表示させる画像の表示時間を基準の表示時間よりも長くし、前記撮像地点間の距離が所定の距離よりも小さい場合には前記表示部にスライドショー表示させる画像の表示時間を基準の表示時間よりも短くすることを特徴とする請求項６記載の撮像装置。
【請求項８】
画像の装飾についての装飾データを記憶する装飾記憶部と、
前記抽出部により抽出した画像データに基づいて前記装飾記憶部から装飾データを抽出する装飾抽出部とを備え、
前記表示制御部は、前記装飾抽出部により前記装飾記憶部から抽出した装飾データに基づく装飾を、スライドショー表示される画像と共に前記表示部に表示させることを特徴とする請求項３〜７の何れか一項に記載の撮像装置。
【発明の詳細な説明】
【技術分野】
【０００１】
本発明は、撮像装置に関するものである。
【背景技術】
【０００２】
従来、表示部に画像をスライドショー表示することができる画像再生装置が知られている。また、ナビゲーション装置により取得したログデータに含まれる日時情報に基づいて、ドライブレコーダから画像データを抽出し、抽出した画像データに基づく画像をナビゲーション装置の表示部に連続再生させる車載システムが知られている（例えば、特許文献１参照）。
【先行技術文献】
【特許文献】
【０００３】
【特許文献１】特開２０１１−２５７８４９号公報
【発明の概要】
【発明が解決しようとする課題】
【０００４】
しかし、従来の画像再生装置においては、旅行などにおいて所定の経路を移動しながら撮影された一連の画像をスライドショー表示する場合、スライドショー表示する画像の画像データを事前に選別する必要があった。
【０００５】
また、上記車載システムにおいては、ログデータに含まれる位置情報を考慮せずに画像データの抽出を行うため、ログデータ記録時間内に所定の経路以外の場所で撮影された画像データが存在する場合、所定の経路を移動しながら撮影された一連の画像の画像データを的確に取得することができないという問題があった。
【０００６】
本発明の目的は、所定の経路を移動しながら撮影された一連の画像を容易かつ的確にスライドショー表示することができる撮像装置を提供することである。
【課題を解決するための手段】
【０００７】
本発明の撮像装置は、被写体光の撮像を行う撮像素子と、現在位置の測位を行うＧＰＳと、前記ＧＰＳにより測位した現在位置をログデータとして記録する記録部と、前記撮像素子からの撮像信号に基づく画像データに、前記撮像素子による撮像に基づいて前記ＧＰＳから取得した位置情報を関連付けて記憶する画像記憶部と、前記記録部に記録されているログデータに基づいて、前記画像記憶部から画像データを抽出する抽出部と、前記抽出部により抽出した画像データに基づく画像を順次スライドショー表示する表示部とを備えることを特徴とする。
【発明の効果】
【０００８】
本発明の撮像装置によれば、所定の経路を移動しながら撮影された一連の画像を容易かつ的確にスライドショー表示することができる。
【図面の簡単な説明】
【０００９】
【図１】実施の形態に係る電子カメラの構成を示すブロック図である。
【図２】実施の形態に係る電子カメラのログデータ記録処理を示すフローチャートである。
【図３】実施の形態に係る電子カメラのログデータ記録中の撮像処理を示すフローチャートである。
【図４】実施の形態に係る電子カメラにおいてログデータ記録中に撮像された画像をスライドショー表示させる処理を示すフローチャートである。
【図５】実施の形態に係る電子カメラにおけるＬＣＤ表示部の表示を示す図である。
【図６】実施の形態に係る電子カメラにおけるログデータ記録中の撮像地点、及び撮像地点で撮像された画像を示す図である。
【図７】実施の形態に係る電子カメラのスライドショー表示効果の決定処理を示すフローチャートである。
【図８】実施の形態に係る電子カメラのスライドショー表示を示す図である。
【図９】実施の形態に係る電子カメラのスライドショー表示を示す図である。
【発明を実施するための形態】
【００１０】
以下、図面を参照して本発明の実施の形態に係る撮像装置である電子カメラについて説明する。図１は、実施の形態に係る電子カメラ２の構成を示すブロック図である。電子カメラ２は、ＣＰＵ４を備え、ＣＰＵ４には、ＧＰＳ衛星から受信した信号に基づいて自己位置を測位するＧＰＳ６、自己位置を基準とした電子カメラ２の撮影方位を計測する電子コンパス８、ＬＣＤ表示部１２の表示制御を行う表示制御部１４、ＬＣＤ表示部１２において指等の接触の位置を検出するタッチパネル１５、被写体光を撮像して撮像信号を生成する撮像素子１６、撮像素子１６から出力された撮像信号により生成された画像データを一時的に記憶する画像記憶部１７、ＧＰＳ６により測位された自己位置の位置情報を測位日時の日時情報と共にログデータとして記憶するログデータ記憶部１８、及び画像データやログデータを記憶するメモリカード２６を装着するメモリカードスロット２７が接続されている。
【００１１】
次に、図２に示すフローチャートを参照して実施の形態に係る電子カメラ２のログデータ記録処理について説明する。まず、タッチパネル１５の操作により、ログデータを取得するログモードが設定されると（ステップＳ１）、ＣＰＵ４は、ＬＣＤ表示部１２において「ログデータの記録時間を選択してください」等の表示を行う。次に、ＣＰＵ４は、例えば、「６時間、１２時間、２４時間、７２時間」等の選択候補となる記録時間を示す選択画面を表示し、操作者に対して記録時間を選択するように指示する。
【００１２】
タッチパネル１５の操作により所望の記録時間が選択されると（ステップＳ２）、ＣＰＵ４は、ＧＰＳ６により自己位置の測位を行うことにより位置情報の取得を開始し、取得した位置情報を日時情報と共にログデータとしてログデータ記憶部１８に記憶する（ステップＳ３）。ここで、ログデータの記憶は、予め設定されている所定の時間間隔で継続して行われる。
【００１３】
次に、ＣＰＵ４は、ステップＳ２で選択された記録時間が経過したか否かを判定する（ステップＳ４）。ステップＳ２で選択された記録時間が経過していない場合（ステップＳ４：Ｎｏ）、ステップＳ３の処理に戻り、継続してログデータの記憶を行う。
【００１４】
一方、ステップＳ２で選択された記録時間が経過した場合（ステップＳ４：Ｙｅｓ）、
ＣＰＵ４は、ログデータ記憶部１８へのログデータの記憶を終了し、記録時間分のログデータを一つのログファイルとしてメモリカード２６に記憶する（ステップＳ５）。以上の処理を繰り返すことにより、メモリカード２６に複数のログファイルが記憶される。
【００１５】
次に、図３に示すフローチャートを参照して実施の形態に係る電子カメラ２のログデータ記録中における撮像処理について説明する。まず、ログデータ記録中において、タッチパネル１５の操作により撮影モードが設定されると（ステップＳ１１）、ＣＰＵ４は、撮像素子１６によりスルー画像の撮像を開始し、スルー画像をＬＣＤ表示部１２に表示すると共に、電子コンパス８による撮影方位の計測を開始する（ステップＳ１２）。なお、ＧＰＳ６による自己位置の測位は、ログデータの記録時間選択時（ステップＳ２）から継続して行われている。
【００１６】
次に、タッチパネル１５の操作によるレリーズ指示に応じて被写体光の撮像が行われると（ステップＳ１３）、ＣＰＵ４は、撮像素子１６から出力された撮像信号により生成された画像データを画像記憶部１７に一旦記憶する。次に、ＣＰＵ４は、ＧＰＳ６から撮像時の位置情報を取得すると共に、電子コンパス８から撮像時の自己位置を基準とした電子カメラ２の撮影方位に関する情報（以下、撮像時の方位情報という。）を取得する。
【００１７】
次に、ＣＰＵ４は、画像記憶部１７から画像データを読み出し、読み出した画像データに撮像時の位置情報、撮像時の方位情報を撮像時の日時情報と共にタグ情報として付加する（ステップＳ１４）。そして、Ｅｘｉｆ等の所定のファイル形式の画像データとしてメモリカード２６に記憶する（ステップＳ１５）。これにより、ログデータ記録中において、電子カメラ２の移動経路上で撮像された画像の画像データが取得される。
【００１８】
次に、ＣＰＵ４は、撮影モードを終了させる操作が行われたか否かを判定する（ステップＳ１６）。撮影モードを終了させる操作が行われていない場合（ステップＳ１６：Ｎｏ）、ステップＳ１３の処理に戻り、継続して撮像処理を行う。一方、撮影モードを終了させる操作が行われた場合（ステップＳ１６：Ｙｅｓ）、電子コンパス８による撮影方位の計測を終了し、一連の撮像処理を終了する。
【００１９】
次に、図４に示すフローチャートを参照して実施の形態に係る電子カメラ２においてログデータ記録中に撮像された画像をＬＣＤ表示部１２にスライドショー表示させる処理について説明する。まず、タッチパネル１５の操作により、ログデータ記録中に撮像された画像をＬＣＤ表示部１２にスライドショー表示させるログ画像再生モードが設定されると、ＣＰＵ４は、ＬＣＤ表示部１２において「ログファイルを選択してください」等の表示を行った後、メモリカード２６に記憶されているログファイルの選択画面を表示する（ステップＳ２１）。
【００２０】
例えば、図５に示すように、「１．２０１２／１０／１５、２．２０１２／１０／２０、３．２０１２／１１／１８、４．２０１２／１２／１０」等の選択候補となるログファイルのログファイル名をＬＣＤ表示部１２に表示する。ここで、図５に示すログファイル名は、ログデータの記録が開始された年月日で表示されている。なおログファイル名は、操作者により任意に変更することができる。
【００２１】
次に、タッチパネル１５の操作により、例えば、「２．２０１２／１０／２０」が選択されると（ステップＳ２２）、ＣＰＵ４は、ログファイル名「２０１２／１０／２０」のログファイルをメモリカード２６から読み出す（ステップＳ２３）。そして、ログファイル名「２０１２／１０／２０」のログデータに含まれる位置情報、日時情報と同じ位置情報、日時情報がタグ情報として付加されている画像データをメモリカード２６から抽出する（ステップＳ２４）。
【００２２】
例えば、図６（ａ）に示すように、ログファイル名「２０１２／１０／２０」のログデータ記録中に第１地点〜第６地点で撮像が行われていたとする。この場合、ＣＰＵ４は、ログファイル名「２０１２／１０／２０」のログデータに含まれる位置情報、日時情報と同じ位置情報、日時情報がタグ情報として付加されている画像データとして、図６（ｂ）に示すように、第１地点で撮像されたファイル名「画像１」の画像の画像データ、第２地点で撮像されたファイル名「画像２」の画像の画像データ、第３地点で撮像されたファイル名「画像３」の画像の画像データ、第４地点で撮像されたファイル名「画像４」の画像の画像データ、第５地点で撮像されたファイル名「画像５」の画像の画像データ、及び第６地点で撮像されたファイル名「画像６」の画像の画像データをメモリカード２６から抽出する。これにより、選択されたログファイルのログデータ記録中に撮像された画像の画像データが取得される。
【００２３】
次に、ＣＰＵ４は、ステップＳ２４で抽出した画像データに基づく画像をＬＣＤ表示部１２にスライドショー表示させる際の表示効果を決定する（ステップＳ２５）。以下、図７を参照して、実施の形態の電子カメラ２におけるスライドショー表示効果の決定処理（ステップＳ２５）について説明する。
【００２４】
まず、ＣＰＵ４は、画像データに付加されている位置情報に基づいて撮像時の電子カメラ２の移動方向を決定する（ステップＳ３１）。例えば、図６（ａ）に示すように、ファイル名「画像１」の画像データに付加されている第１地点の位置情報と、ファイル名「画像２」の画像データに付加されている第２地点の位置情報とに基づいて、ファイル名「画像１」の撮像時における移動方向Ａを南西方向と決定する。同様にして、ファイル名「画像２」の撮像時における移動方向Ｂを北西方向と決定し、ファイル名「画像３」の撮像時における移動方向Ｃを南西方向と決定し、ファイル名「画像４」の撮像時における移動方向Ｄを南西方向と決定し、ファイル名「画像５」の撮像時における移動方向Ｅを北西方向と決定する。
【００２５】
なお、ログデータの記録時間において最後に撮像されたファイル名「画像６」の撮像時の移動方向Ｆについては、例えば、ファイル名「画像６」の画像データに付加されている第６地点の位置情報と、ログデータに含まれる記録時間終了時の自己位置の位置情報とに基づいて、南西方向と決定する。
【００２６】
次に、ＣＰＵ４は、ステップＳ３１で決定した撮像時の電子カメラ２の移動方向、及び画像データに付加されている撮像時の方位情報を用いて、撮像時の電子カメラ２の移動方向を基準とした撮影方向を特定する（ステップＳ３２）。例えば、図６（ａ）に示すように、ファイル名「画像１」の撮像時における移動方向Ａの方位と撮像時の撮影方位ａが一致する場合、ファイル名「画像１」の撮像時の撮影方向を前方向と特定する。また、ファイル名「画像２」の撮像時における移動方向Ｂの方位を正面として撮像時の撮影方位ｂが左方向に向いている場合、ファイル名「画像２」の撮像時の撮影方向を左方向と特定する。同様に、ファイル名「画像３」の撮像時における移動方向Ｃの方位を正面として撮像時の撮影方位ｃが右方向に向いている場合、ファイル名「画像３」の撮像時の撮影方向を右方向と特定する。
【００２７】
また、ファイル名「画像４」の撮像時における移動方向Ｄの方位と撮像時の撮影方位ｄが反対方向である場合、ファイル名「画像４」の撮像時の撮影方向を後方向と特定する。さらに、ファイル名「画像５」、ファイル名「画像６」の撮像時の撮影方向についても同様の方法を用いて、それぞれ前方向、左方向と特定する。
【００２８】
次に、ＣＰＵ４は、ステップＳ３２で決定した撮影方向に基づいて、画像データに基づく画像をＬＣＤ表示部１２にスライドショー表示させる際の表示効果を決定する（ステップＳ３３）。例えば、ステップＳ３３において特定した撮像時の撮影方向が前方向である場合、順次ズーム倍率を上げながら画像を表示させるようにする。また、撮像時の撮影方向が後方向である場合、順次ズーム倍率を下げながら画像を表示させるようにする。また、撮像時の撮影方向が左方向である場合、ＬＣＤ表示部１２の左側から画像をスライドインさせて表示させ、撮像時の撮影方向が右方向である場合、ＬＣＤ表示部１２の右側から画像をスライドインさせて表示させるようにする。
【００２９】
スライドショー表示効果の決定処理が完了すると（図４：ステップＳ２５）、ＣＰＵ４は、決定した表示効果に基づいて、画像データに基づく画像をＬＣＤ表示部１２に順次スライドショー表示させる（ステップＳ２６）。即ち、図８に示すように、まず、ＣＰＵ４は、順次ズーム倍率を上げながらファイル名「画像１」の画像をＬＣＤ表示部１２にズームインさせて表示させる。次に、ＣＰＵ４は、ファイル名「画像２」の画像をＬＣＤ表示部１２の左側からスライドインさせて表示させる。同様にして、ＣＰＵ４は、ファイル名「画像３」の画像をＬＣＤ表示部１２の左側からスライドインさせて表示させる。次に、ＣＰＵ４は、図９に示すように、順次ズーム倍率を上げながらファイル名「画像４」の画像をズームインさせて表示させ、ファイル名「画像５」の画像をＬＣＤ表示部１２の左側からスライドインさせて表示させ、ファイル名「画像６」の画像をＬＣＤ表示部１２の右側からスライドインさせて表示させる。
【００３０】
この実施の形態に係る電子カメラ２によれば、選択されたログデータに含まれる位置情報、日時情報と同じ位置情報、日時情報がタグ情報として付加されている画像データをメモリカードから抽出し、抽出した画像データに基づく画像を順次スライドショー表示させるため、所定の経路を移動しながら撮影された一連の画像を容易かつ的確にスライドショー表示することができる。例えば、複数の旅行で撮像された画像の画像データが無秩序にメモリカード２６に記憶されていたとする。この場合、メモリカード２６に記憶されている画像データを旅行ごとのフォルダ等に事前に分類することなく、特定の旅行で撮像された画像のみを撮影順にスライドショー表示させることができる。また、スライドショー表示させる画像を撮像時の撮影方向に合わせてスライドインまたはズームインさせることにより、臨場感のあるスライドショー表示を実現することができる。
【００３１】
なお、上述の実施の形態において、ログデータ記録中に取得された画像データの中に位置情報が付加されていない画像データ（以下、画像データＡという。）が含まれる場合、画像データＡに付加されている日時情報、及び画像データＡの前後に取得された画像データに付加されている位置情報、日時情報を用いて、画像データＡの画像の撮像地点を推定するようにしてもよい。
【００３２】
例えば、２０１２年１０月２０日ＡＭ１０：００に第１地点でファイル名「画像１」の画像が撮像され、同日ＡＭ１０：３０に第２地点でファイル名「画像２」の画像が撮像され、同日ＡＭ１１：００に第３地点でファイル名「画像３」の画像が撮像されたとする。そして、ファイル名「画像１」の画像データには第１地点の位置情報と２０１２年１０月２０日ＡＭ１０：００の日時情報が付加され、ファイル名「画像３」の画像データには第３地点の位置情報と２０１２年１０月２０日ＡＭ１１：００の日時情報が付加されているが、ファイル名「画像２」の画像データには２０１２年１０月２０日ＡＭ１０：３０の日時情報のみが付加されており、第２地点の位置情報が付加されていなかったとする。
【００３３】
この場合、ＣＰＵ４は、まず、ファイル名「画像１」の画像の撮像地点（第１地点）と撮像日時（ＡＭ１０：００）、及びファイル名「画像３」の画像の撮像地点（第３地点）と撮像日時（ＡＭ１１：００）に基づいて、電子カメラ２が１時間の間に移動した距離を算出する。次に、ＣＰＵ４は、ファイル名「画像２」の画像の撮像日時（ＡＭ１０：３０）に基づいて、電子カメラ２が１時間の半分である３０分の間に移動した距離を算出し、第１地点を起点として３０分後に電子カメラ２が位置する位置をファイル名「画像２」の画像の撮像地点（第２地点）と推定する。そして、第２地点の位置情報をファイル名「画像２」の画像データに付加すると共に、ログファイルに２０１２年１０月２０日ＡＭ１０：３０時点の位置情報として第２地点の位置情報を追加する。これにより、例えばトンネル内等において撮像が行われ、位置情報が付加されていない画像データが取得された場合であっても、ログデータ記録中において電子カメラ２の移動経路上で撮像された全ての画像を的確にスライドショー表示させることができる。
【００３４】
また、上述の実施の形態において、スライドショー表示させる画像の表示時間を撮像地点間の距離に基づいて変化させるようにしてもよい。例えば、ＣＰＵ４は、ステップＳ２５において、ファイル名「画像１」の画像データに付加されている第１地点の位置情報と、ファイル名「画像２」の画像データに付加されている第２地点の位置情報とに基づいて、第１地点と第２地点の間の距離を算出する。そして、算出した距離が予め設定されている所定の距離よりも大きいか否かを判定する。
【００３５】
判定の結果、第１地点と第２地点の間の距離が予め設定されている所定の距離よりも大きい場合、ＣＰＵ４は、スライドショー表示の際において、ファイル名「画像１」の画像の表示時間を基準の表示時間よりも所定時間長くする。一方、第１地点と第２地点の間の距離が予め設定されている所定の距離よりも小さい場合、スライドショー表示の際において、ファイル名「画像１」の画像の表示時間を基準の表示時間よりも所定時間短くする。ファイル名「画像２」〜ファイル名「画像６」についても同様の手段を用いてスライドショー表示の際の表示時間を変化させる。これにより、次の画像が撮像されるまでの間隔を反映させたスライドショー表示を実現することができる。なお、地点間の距離を算出する際に用いられる位置情報は、画像データに位置情報が付加されていない場合において、前後の画像データの位置情報、日時情報等から推定された撮像地点の位置情報でもよい。
【００３６】
また、上述の実施の形態において、電子カメラ２に、建造物や施設等のランドマークのランドマーク情報を記憶するランドマーク情報記憶部、及びランドマークに対応する装飾の装飾データを記憶する装飾記憶部を更に備えるようにしてもよい。そして、ステップＳ１３で撮像が行われた場合に、ＣＰＵ４は、撮像時の位置情報、撮像時の方位情報に基づいて、ランドマーク情報記憶部から撮影時の自己位置を基準として撮影方位の方向に存在するランドマークのランドマーク情報を抽出する。次に、ランドマーク情報をタグ情報として画像データに付加してメモリカード２６に記憶する。
【００３７】
次に、ログ画像再生モードが設定されると、ＣＰＵ４は、ステップＳ２５において、スライドショー表示させる画像の画像データに付加されているランドマーク情報に対応する装飾の装飾データを装飾記憶部から抽出する。例えば、スライドショー表示させる画像の画像データに遊園地のランドマーク情報が付加されている場合、ＣＰＵ４は、遊園地に対応する装飾の装飾データとして、例えば装飾枠の装飾データを装飾記憶部から抽出する。そして、ステップＳ２６において、画像をスライドショー表示する際に、画像の周囲に装飾枠を表示させる。これにより、スライドショー表示の際に、スライドショー表示される画像に適した装飾をＬＣＤ表示部１２に表示させることができる。
【００３８】
なお、撮像時にランドマーク情報の抽出を行わず、スライドショー表示の際にランドマーク情報の抽出を行ってもよい。即ち、ＣＰＵ４は、ステップＳ２５において、スライドショー表示させる画像の画像データに付加されている位置情報、方位情報に基づいて、撮影時の自己位置を基準として撮影方位の方向に存在するランドマークをランドマーク情報記憶部から抽出する。そして、抽出したランドマーク情報に対応する装飾の装飾データを装飾記憶部から抽出し、スライドショー表示の際に画像と共に装飾を表示させる。
【００３９】
また、上述の実施の形態においては、操作をタッチパネル機能により行っているが、ボタン操作により行ってもよい。
【００４０】
また、上述の実施の形態のステップＳ５、ステップＳ１５において、ログファイル、画像データを電子カメラ２の内蔵メモリに記憶するようにしてもよい。この場合、ログ画像再生モードが設定されると、ＣＰＵ４は、内蔵メモリに記憶されているログファイルの選択画面をＬＣＤ表示部１２に表示する（ステップＳ２１）。そして、ログファイルが選択されると（ステップＳ２２）、ＣＰＵ４は、選択されたログファイル名のログファイルを内蔵メモリから読み出す（ステップＳ２３）。
【００４１】
同様にして、ランドマーク情報をタグ情報として画像データに付加する場合においてもログファイル、画像データを電子カメラ２の内蔵メモリに記憶するようにしてもよい。
【符号の説明】
【００４２】
２…電子カメラ、４…ＣＰＵ、６…ＧＰＳ、８…電子コンパス、１２…ＬＣＤ表示部、１４…表示制御部、１５…タッチパネル、１６…撮像素子、１７…画像記憶部、１８…ログデータ記憶部、２６…メモリカード、２７…メモリカードスロット
【図１】
2014116647.tif 000003
【図２】
2014116647.tif 000004
【図３】
2014116647.tif 000005
【図４】
2014116647.tif 000006
【図５】
2014116647.tif 000007
【図６】
2014116647.tif 000008
【図７】
2014116647.tif 000009
【図８】
2014116647.tif 000010
【図９】
2014116647.tif 000011